(57)【要約】【課題】筐体に収容された紙葉類を処理する効率を高くすることができる紙葉類処理システムを提供することである。【解決手段】実施形態の紙葉類処理システムは、搬送部と、振分部と、処理状況情報取得部と、筐体情報取得部と、通信部と、制御部とを持つ。搬送部は、複数枚の紙葉類を収容した筐体を搬送する。振分部は、搬送部による搬送過程において、筐体を複数の紙葉類処理装置のうち何れかの紙葉類処理装置に振り分ける。処理状況情報取得部は、紙葉類処理装置の処理状況の情報を取得する。筐体情報取得部は、筐体から、筐体を識別可能な情報を取得する。通信部は、他装置から、筐体情報取得部により取得される情報に対応付けられた紙葉類に関する情報を受信する。制御部は、複数の紙葉類処理装置の処理状況の情報と、筐体を識別可能な情報と、紙葉類に関する情報とに基づいて、筐体の振り分け先を制御する。【選択図】図８
2017054295.tif 000002
【特許請求の範囲】
【請求項１】
複数枚の紙葉類を収容した筐体を搬送する搬送部と、
前記搬送部による搬送過程において、前記筐体を複数の紙葉類処理装置のうち何れかの紙葉類処理装置に振り分ける振分部と、
前記紙葉類処理装置の処理状況の情報を取得する処理状況情報取得部と、
前記筐体から、前記筐体を識別可能な情報を取得する筐体情報取得部と、
他装置から、前記筐体情報取得部により取得される情報に対応付けられた紙葉類に関する情報を受信する通信部と、
前記複数の紙葉類処理装置の処理状況の情報と、前記筐体情報取得部により取得された前記筐体を識別可能な情報と、前記通信部により取得された前記紙葉類に関する情報とに基づいて、前記振分部による前記筐体の振り分け先を制御する制御部と、
を備える、紙葉類処理システム。
【請求項２】
前記制御部は、前記通信部により受信された前記紙葉類に関する情報に基づいて前記筐体に前記紙葉類が収容されているか否かを判定し、前記筐体に前記紙葉類が収容されている場合には、前記筐体を前記複数の紙葉類処理装置のうち何れかの紙葉類処理装置に振り分けるように前記振分部を制御し、前記筐体に前記紙葉類が収容されていない場合には、前記筐体を空の筐体の集積部に振り分けるように前記振分部を制御する、
請求項１に記載の紙葉類処理システム。
【請求項３】
前記搬送部は、前記振分部により前記筐体が振り分けられた前記紙葉類処理装置に、前記空の筐体の集積部に集積された筐体を搬送する、
請求項２に記載の紙葉類処理システム。
【請求項４】
前記筐体に情報を付加する情報付加部を備え、
前記通信部は、他装置から、前記筐体に紙葉類を収容する要求を受信し、
前記制御部は、前記通信部により受信された要求に基づいて、前記紙葉類処理装置に装着された前記空の筐体の集積部から搬送された筐体に、前記紙葉類を収容させると共に、前記情報付加部に、要求送信元の他装置に対応した前記筐体を識別可能な情報を付加させる、
請求項３に記載の紙葉類処理システム。
【請求項５】
前記制御部は、前記情報付加部により前記筐体に付加された前記筐体を識別可能な情報に基づいて、前記紙葉類が収容された前記筐体を、前記要求送信元に対応した集積部に振り分けるように配送用の振分部を制御する、
請求項４に記載の紙葉類処理システム。
【発明の詳細な説明】
【技術分野】
【０００１】
本発明の実施形態は、紙葉類処理システムに関する。
【背景技術】
【０００２】
従来、自動取引装置（ＡＴＭ（Automated Teller Machine））等に収容された紙葉類は、自動取引装置等から取り出されたＡＴＭカセット等の筐体に収容されていた。従来においては、ＡＴＭカセット等の筐体に収容された紙葉類に対して、オペレータの人手により計数を行う必要があったため、自動取引装置等から収集された多数の筐体に収容された紙葉類を効率よく処理することが求められていた。
【先行技術文献】
【特許文献】
【０００３】
【特許文献１】国際公開第２０１１／０７８１７７号
【発明の概要】
【発明が解決しようとする課題】
【０００４】
本発明が解決しようとする課題は、筐体に収容された紙葉類を処理する効率を高くすることができる紙葉類処理システムを提供することである。
【課題を解決するための手段】
【０００５】
実施形態の紙葉類処理システムは、搬送部と、振分部と、処理状況情報取得部と、筐体情報取得部と、通信部と、制御部とを持つ。前記搬送部は、複数枚の紙葉類を収容した筐体を搬送する。前記振分部は、前記搬送部による搬送過程において、前記筐体を複数の紙葉類処理装置のうち何れかの紙葉類処理装置に振り分ける。前記処理状況情報取得部は、前記紙葉類処理装置の処理状況の情報を取得する。前記筐体情報取得部は、前記筐体から、前記筐体を識別可能な情報を取得する。前記通信部は、他装置から、前記筐体情報取得部により取得される情報に対応付けられた紙葉類に関する情報を受信する。前記制御部は、前記複数の紙葉類処理装置の処理状況の情報と、前記筐体情報取得部により取得された前記筐体を識別可能な情報と、前記通信部により取得された前記紙葉類に関する情報とに基づいて、前記振分部による前記筐体の振り分け先を制御する。
【図面の簡単な説明】
【０００６】
【図１】実施形態のＡＴＭカセット１０が収集および配送される様子を示す図。
【図２】実施形態の紙葉類カセット１０の一例を示す構成図。
【図３】実施形態の紙葉類カセット１０に収容される紙葉類Ｐを示す構成図。
【図４】実施形態の自動取引装置２００の正面側を示す斜視図。
【図５】実施形態の自動取引装置２００の背面側を示す斜視図。
【図６】実施形態の紙葉類処理装置３００の構成図。
【図７】実施形態の紙葉類処理装置３００の機能的な構成図。
【図８】実施形態の紙葉類処理システム１の一例を示す構成図。
【図９】実施形態において紙葉類処理センター１００において行われる処理の流れを示す図。
【図１０】実施形態の紙葉類処理システム１の機能的な構成を示すブロック図。
【図１１】実施形態の紙葉類処理装置３００の処理状況情報の一例を示す図。
【図１２】実施形態の紙葉類処理センター１００において収集カセット１０Ａを処理する流れを示す図。
【図１３】実施形態の紙葉類処理システム１において紙葉類処理装置３００を選定する処理の流れを示す図。
【図１４】実施形態の紙葉類処理システム１において収集カセット１０Ａを処理する流れを示す図。
【図１５】実施形態の紙葉類処理システム１において空のＡＴＭカセット１０に紙葉類Ｐを収容して搬送する流れを示す図。
【発明を実施するための形態】
【０００７】
以下、実施形態の紙葉類処理システムを、図面を参照して説明する。以下の実施形態では、処理対象の紙葉類が紙幣であるものとして説明するが、紙葉類処理システムは、郵便物、あるいは各種カードまたはチケットなど、紙幣以外の紙葉類を処理するものであってよい。
【０００８】
まず、実施形態の紙葉類処理システム１の処理対象となるＡＴＭ（Automated Teller Machine）カセット１０について説明する。図１は、実施形態のＡＴＭカセット１０が収集および配送される様子を示す図である。銀行Ｂには、ＡＴＭカセット１０が着脱可能な自動取引装置（ＡＴＭ）２００が設置される。自動取引装置２００は、紙葉類Ｐを排出する場合に、ＡＴＭカセット１０に収容された紙葉類Ｐを取り出し、紙葉類Ｐを受け入れた場合に、受け入れた紙葉類ＰをＡＴＭカセット１０に収容する。ＡＴＭカセット１０は、収集業者により自動取引装置２００から取り外されて収集される。収集されたＡＴＭカセット１０Ａ（以下、収集カセット１０Ａと記載する。）は、配送車Ｖａに載せられて紙葉類処理センター１００に運送される。紙葉類処理センター１００に設置された紙葉類処理装置３００は、収集カセット１０Ａに収容された紙葉類Ｐに対して各種の処理を行う。紙葉類処理装置３００は、各種の処理された紙葉類Ｐを再度、ＡＴＭカセット１０に収容する。各種の処理された紙葉類Ｐを収容したＡＴＭカセット１０Ｂ（以下、配送カセット１０Ｂと記載する。）は、配送業者の配送車Ｖｂに載せられて銀行Ｂに運送され、自動取引装置２００に取り付けられる。なお、銀行Ｂの自動取引装置２００にＡＴＭカセット１０が着脱されることを説明したが、これに限らず、例えばデパートやスーパーに設置された現金処理機に対してＡＴＭカセット１０が着脱可能であってもよい。
【０００９】
図２は、実施形態の紙葉類カセット１０の一例を示す構成図である。ＡＴＭカセット１０は、筐体１２と、筐体１２に貼り付けられたバーコード１４とを備える。筐体１２には、複数枚の紙葉類Ｐが収容される。筐体１２には、自動取引装置２００により紙葉類Ｐの取り出しまたは受け入れを可能にする紙葉類Ｐの取り出し機構（不図示）が設けられている。筐体１２の上面には、ＡＴＭカセット１０を識別する情報（以下、カセットＩＤ（identification）と記載する）が解読可能なバーコード１４が貼り付けられる。カセットＩＤは、例えば、シリアル番号、またはコード化されたＩＤ等のＡＴＭカセット１０に付加される識別情報である。なお、本実施形態において、カセットＩＤを読み取り可能にするものとしてバーコード１４を説明するが、これに限らず、ＲＦＩＤ（Radio Frequency identifier）チップ、筐体１２に描かれた文字列、ＱＲコード（登録商標）などの二次元コードなどであってもよい。また、ＡＴＭカセット１０は、紙葉類Ｐの装填（入金）のみが可能なタイプ、紙葉類Ｐの取り出し（出金）のみが可能なタイプ、あるいは、紙葉類Ｐの装填および取り出し（入出金）が可能なタイプがあるが、本実施形態のＡＴＭカセット１０は、いずれかのタイプであってもよい。
【００１０】
図３は、実施形態の紙葉類カセット１０に収容される紙葉類Ｐを示す構成図である。複数の紙葉類Ｐは、紙葉類Ｐの厚さ方向に集積されてＡＴＭカセット１０に収容される。複数枚の紙葉類Ｐには、バッチカードＢＣが挟まれてもよい。バッチカードＢＣは、例えば、紙葉類Ｐと同一の外径寸法に形成され、紙基材にＲＦＩＤ技術を利用した無線チップＩＤＣが埋め込まれたものである。無線チップＩＤＣは、通信部、制御部、および記憶部を備える。記憶部には、例えば、紙葉類Ｐの券種や枚数などの情報が記憶される。無線チップＩＤＣは、リーダライタからのコマンドに基づいて、記憶部に記憶された情報を読み出して無線出力し、または、リーダライタにより送信された情報を受信して記憶部に記憶させる。以下の説明では、収集カセット１０Ａには、バッチカードＢＣが収容されていなく、配送カセット１０Ｂには、紙葉類処理装置３００の処理の結果としてバッチカードＢＣが収容されていることを前提とする。
【００１１】
以下、ＡＴＭカセット１０が着脱可能な自動取引装置２００について説明する。図４は、実施形態の自動取引装置２００の正面側を示す斜視図である。図５は、実施形態の自動取引装置２００の背面側を示す斜視図である。
【００１２】
自動取引装置２００は、ほぼ矩形箱状の本体２００Ａを備え、本体の前面には、利用者に対面するほぼＬ字形状の接客パネル２０２が設けられている。接客パネル２０２の水平部には、タッチパネルを兼ねた表示部２０４が設けられ、垂直部には、カード挿入口２０６、通帳挿入口２０８等が設けられている。また、接客パネル２０２の角部には、それぞれ扉によって開閉される紙幣入出金口２１０および硬貨入出金口２１２が設けられている。本体２００Ａ内には、紙幣入出金口２１０を介して利用者に紙葉類Ｐを入出金するための紙幣取扱装置２１４、硬貨入出金口２１２を介して硬貨を入出金する硬貨取扱装置２１６、制御ユニット２１８、通帳プリンタ２２０、カード／伝票処理装置２２２等が配設されている。
【００１３】
本体２００Ａの後面には、ＡＴＭカセット１０、紙幣取扱装置２１４および硬貨取扱装置２１６を本体から取出し可能とするための開閉自在な扉２２４が設けられている。紙幣取扱装置２１４は細長い箱状の筐体２３２を有し、この筐体２３２内には、装填庫としてのＡＴＭカセット１０が並んで設けられる。自動取引装置２００は、例えば、１００００円紙幣を収容する２つＡＴＭカセット１０の、１０００円紙幣を収容するＡＴＭカセット１０が並んで設けられている。これらのＡＴＭカセット１０は、扉２２４を開けて筐体２３２を引き出すことにより、筐体２３２から取外し、また、筐体２３２内に装着することができる。この他、筐体２３２内には、紙幣入出金口２１０から投入された紙葉類Ｐを受け取るとともに出金紙幣が出金される集積部、入金紙幣を一時的に集積する入金一時集積部、入金紙幣および出金紙幣を判別する判別処理部、リジャクト紙幣を収容する一対のリジェクト庫、損券等を収容する回収庫等が設けられている。このような自動取引装置２００から取り出されたＡＴＭカセット１０が、後述する紙葉類処理装置３００の装着部３１０ｂに脱着可能に装着される。
【００１４】
以下、実施形態の紙葉類処理装置３００について説明する。図６は、実施形態の紙葉類処理装置３００の構成図である。図７は、実施形態の紙葉類処理装置３００の機能的な構成図である。
【００１５】
紙葉類処理装置３００は、取出モジュール３１０、メインモジュール３２０、整列モジュール３３０、施封モジュール３４０、および装填モジュール３５０を備える。取出モジュール３１０、メインモジュール３２０、整列モジュール３３０、施封モジュール３４０、および装填モジュール３５０は、この順で一列に並んで配置され、互いに電気的かつ機械的に連結されている。メインモジュール３２０には、このメインモジュール３２０および装置全体の動作を制御する主制御部３２２が設けられている。
【００１６】
取出モジュール３１０は、メインモジュール３２０の上流側に設けられる。取出モジュール３１０は、装着部３１０ｂと、取り出し機構３１０ｃと、とを備える。装着部３１０ｂは、ＡＴＭカセット１０が脱着可能に装着される。取り出し機構３１０ｃは、ＡＴＭカセット１０に収容された紙葉類Ｐを取り出して、メインモジュール３２０の取り出し機構３１４に繋がる搬送路に搬送する。取出モジュール３１０の搬送路は、メインモジュール３２０の取り出し機構３２４側に設けられた搬送路３０４に連通している。取出モジュール３１０は、ＡＴＭカセット１０が装着部３１０ｂに装着された場合に、ＡＴＭカセット１０のバーコード１４を読み取るバーコードリーダを備えていてもよい。取出モジュール３１０は、バーコードリーダによりバーコード１４を解読して、カセットＩＤを主制御部３２２に出力する。
【００１７】
主制御部３２２は、メインモジュール３２０内の制御ボードに搭載された情報処理装置により実現される。主制御部３２２は、各モジュールの動作を制御するＣＰＵ（Central Processing Unit）３２２ａ、種々のデータ、制御ポログラム、管理情報等を格納するメモリ３２２ｂなどを備えている。種々のデータとして、ＡＴＭカセット１０のカセットＩＤ、オペレータＩＤ、日時等の情報、紙葉類Ｐの複数段の処理速度等がメモリ３２２ｂに格納されている。
【００１８】
主制御部３２２には、装置に種々の情報を入力する操作部３２７、および入力情報および装置の動作状態、処理状態等を表示する表示装置としてのモニタ３２５が接続されている。取出モジュール３１０、整列モジュール３３０、施封モジュール３４０、および装填モジュール３５０は、それぞれ各モジュールの動作を制御する副制御部３１０ａ、３３０ａ、３４０ａ、および３５０ａを有する。副制御部３１０ａ、３３０ａ、３４０ａ、および３５０ａは、メインモジュール３２０の主制御部３２２にＬＡＮ（Local Area Network）を介して接続されている。
【００１９】
操作部３２７は、紙葉類処理装置３００の管理者の操作を受け付ける。主制御部３２２は、操作部３２７により受け付けられた操作に基づいて、入金業務、整理業務などの取引方法の設定、ＡＴＭカセット１０内の紙葉類Ｐの鑑査処理、ＡＴＭカセット１０への装填処理、施封処理の設定、および紙葉類Ｐの判別レベルである正損レベル設定など処理装置の種々の動作設定を行う。
【００２０】
また、主制御部３２２は、鑑査装置３２８により出力された処理情報に応じて、単位時間の処理効率、複数日のそれぞれの処理効率、オペレータＩＤごとの処理効率、トータル処理枚数、またはトータル稼動時間を含む管理情報を算出する。主制御部３２２は、算出した情報をメモリ３２２ｂに格納するとともに、モニタ３２５に表示させる。
【００２１】
メインモジュール３２０は、多数枚の紙幣Ｐが積層状態で載置される供給部３１１と、供給部３１１から紙葉類Ｐを１枚ずつ取り出す取り出し機構３１４と、取り出し機構３１４によって取り出された紙葉類Ｐを搬送する搬送路３１６と備える。搬送路３１６には、複数組の図示しない無端状の搬送ベルトが搬送路を挟むように延設されている。取出された紙葉類Ｐは、搬送ベルトに挟持されて搬送される。また、メインモジュール３２０には、取出モジュール３１０によりＡＴＭカセット１０から取り出された紙葉類Ｐが搬送される。メインモジュール３２０は、取出モジュール３１０から搬送された紙葉類Ｐを鑑査装置３１８に搬送する。
【００２２】
主制御部３２２は、処理対象の紙葉類Ｐの量に応じて、あるいは、オペレータからの入力指示に応じて、取出し機構３２４に紙葉類Ｐの取り込み量または取り込み速度を複数段階に調整する。すなわち、主制御部３２２は、ドライバ３２３ａを制御して駆動モータ３２３によるピックアップローラの回転速度を調整し、例えば、毎分１０００枚、８００枚または６００枚の取り込み量を設定する。また、主制御部３２２は、鑑査装置３２８の鑑査状態に応じて、紙葉類Ｐの取り込み量を調整する。主制御部３２２は、例えば、鑑査装置３２８により紙葉類Ｐの鑑査を円滑に行えない場合、取り込み量を毎分１０００枚から毎分８００枚に低下させる。更に、主制御部３２２は、鑑査装置３２８により紙葉類Ｐの２枚取りあるいはショートピッチが検出された際に、ピックアップローラを一時的に停止または逆転させ、紙葉類Ｐの二枚取りの防止、および紙葉類Ｐの送りピッチの正常化を行う。
【００２３】
メインモジュール３２０には、搬送路３２６に沿って、２つのリジェクト部３２０ａ、および３２０ｂが設けられる。また、メインモジュール３２０には、それぞれ紙葉類Ｐを集積する複数の集積庫３２９ａ、３２９ｂ、３２９ｃ、および３２９ｄが並んで配置される。主制御部３２２は、ゲート（不図示）を制御して、鑑査装置３２８を通過した紙葉類Ｐをリジェクト券と処理券とに振り分ける。リジェクト券とは、鑑査装置３２８により、偽券と判別された券、又は折れ、破れ、スキュー、２枚取りなどにより判別不能な券と判別された券をいう。スキューとは、搬送方向と直交する方向に対して、紙葉類Ｐが斜めに傾斜した状態を言う。リジェクト券は、リジェクト部３２０ａあるいは３２０ｂに振り分けられて集積される。リジェクト部３２０ａあるいは３２０ｂに集積されたリジェクト券は、偽券を除き、供給部３２１にセットし直して再取り込みするか、手入力で計数データに算入する。鑑査装置３２８による処理金額、枚数等の鑑査結果は、主制御部３２２へ送られ、保存されるとともに、モニタ３２５に表示される。
【００２４】
処理券とは、鑑査装置３２８で判別された紙葉類Ｐが真券で正券、または真券で損券をいう。処理券は、集積庫３２９ａ、３２９ｂ、３２９ｃおよび３２９ｄに搬送されて集積される。主制御部３２２は、例えば、処理券を、券種ごとに対応する集積庫３２９ａ、３２９ｂ、３２９ｃおよび３２９ｄのいずれかに振分けて集積させる。主制御部３２２は、損券を、まとめて１つの集積庫に集積させる。
【００２５】
搬送路３２６は、装填モジュール３５０に繋がっている。装填モジュール３５０によってＡＴＭカセット１０に紙葉類Ｐを装填する場合、メインモジュール３２０の鑑査装置３２８によって鑑査された処理券の一部あるいは全部は、搬送路３２６を通して装填モジュール３５０に搬送される。なお、メインモジュール３２０は、取り出し機構３２４、鑑査装置３２８、搬送機構等を駆動する図示しない駆動機構および電源、その他、種々のセンサを備えている。
【００２６】
整列モジュール３３０は、メインモジュール３２０と施封モジュール３４０との間に設けられる。整列モジュール３３０は、メインモジュール３２０により搬送された紙葉類Ｐを搬送する搬送路３３１と、搬送路３３１の上流側に設けられた整列機構３３２と、搬送路３３１に沿って整列機構３３２の下流側に設けられた反転装置３３４と、搬送路３３１に沿って、並んで配置された複数の集積庫３３６ａ、３３６ｂ、３３６ｃ、および３３６ｄと、を備える。
【００２７】
整列機構３３２は、搬送路３３１に搬送された紙葉類Ｐの中心位置を搬送路３３１の中心位置に合わせる。また、整列機構３３２は、スキューしている紙葉類Ｐをその一辺が搬送方向と直交する向きとなるように補正する。反転装置３３４は、搬送路３３１に搬送された紙葉類Ｐの向きを反転することにより、紙葉類Ｐの表、裏、あるいは前向き、後向きの方向を任意の指定の方向に揃えて送り出す。反転装置３３４から向きを揃えて送り出された紙葉類Ｐは、搬送路３３１により装填モジュール３５０に搬送され、あるいは集積庫３３６ａ、３３６ｂ、３３６ｃ、および３３６ｄのいずれかに搬送されて、集積される。また、装填モジュール３５０により向きを揃えて送り出された紙葉類Ｐをメインモジュール３２０に戻し、メインモジュール３２０の集積庫３２９ａ、３２９ｂ、３２９ｃまたは３２９ｄに集積してもよい。また、集積庫３３６ａ、３３６ｂ、３３６ｃ、または３３６ｄは、ＡＴＭカセット１０から取り出された紙葉類Ｐを金種ごとに集積する集積庫として使用でき、あるいは、ＡＴＭカセット１０から取り出されたリジェクト券あるいは損券を集積するリジェクト庫あるいは損券庫としても使用することができる。
【００２８】
紙葉類Ｐの施封処理が設定されている場合、装填庫３２９から取り出された正券は、整列機構３３２を通して施封モジュール３４０に送られ、所定枚数ずつ施封される。施封モジュール３４０は、装填モジュール３５０の搬送路３５２に連通する搬送路３４２と、この搬送路３４２を通して送られて来た紙葉類Ｐを所定枚数ずつ集積する第１集積装置３４４ａおよび第２集積装置３４４ｂと、これらの集積装置により所定枚数、例えば１００枚、集積された紙葉類Ｐの束を帯により施封する施封装置３４８と、を備えている。第２集積装置３４４ｂは、第１集積装置３４４ａに対して斜め下方向にずれて配置され、また、施封装置３４８は、第２集積装置３４４ｂの下方に配置されている。更に、施封装置３４８により施封された紙葉類Ｐの束を受取り集積する排出部が施封装置３４８の下方に設けられている。
【００２９】
装填モジュール３５０は、施封モジュール３４０の下流側に接続される。装填モジュール３５０は、装着部３５１と、搬送路３５２と、取り込み機構３５４とを備える。装着部３５１は、紙葉類Ｐが収容されていない空のＡＴＭカセット１０＃が脱着可能に装着される。搬送路３５２は、施封モジュール３４０により搬送された紙葉類Ｐを搬送する。取り込み機構３５４は、搬送路３５２により搬送された紙葉類Ｐを取り込んで、ＡＴＭカセット１０＃に装填する。
【００３０】
紙葉類処理装置３００は、ＡＴＭカセット１０＃に紙葉類Ｐを収容する際に、集積庫３２９ａ、３２９ｂ、３２９ｃおよび３２９ｄまたは集積庫３３６ａ、３３６ｂ、３３６ｃ、および３３６ｄに集積された紙葉類Ｐを取り出すようにメインモジュール３２０および整列モジュール３３０を制御する。紙葉類処理装置３００は、例えば、後述する処理要求に含まれるカセット情報（券種ごとの枚数など）に基づいて、集積庫３２９ａ、３２９ｂ、３２９ｃおよび３２９ｄと集積庫３３６ａ、３３６ｂ、３３６ｃ、および３３６ｄの何れかから紙葉類Ｐを取り出して装填モジュール３５０に搬送し、ＡＴＭカセット１０＃に収容する。また、紙葉類処理装置３００は、ＡＴＭカセット１０＃に収容する紙葉類Ｐの識別情報などを書き込んだバッチカードＢＣをＡＴＭカセット１０＃に収容してもよい。
【００３１】
実施形態の紙葉類処理装置３００によれば、取出モジュール３１０に収集カセット１０Ａを装着することにより、取出モジュール３１０により収集カセット１０Ａから取り出された紙葉類Ｐを鑑査装置３１８により判別し、集積庫３２９ａ、３２９ｂ、３２９ｃおよび３２９ｄ、または集積庫３３６ａ、３３６ｂ、３３６ｃ、および３３６ｄに集積することができる。また、実施形態の紙葉類処理装置３００によれば、集積庫３２９ａ、３２９ｂ、３２９ｃおよび３２９ｄと集積庫３３６ａ、３３６ｂ、３３６ｃ、および３３６ｄに集積された紙葉類Ｐを取り出して、装填モジュール３５０に取り付けられた空のＡＴＭカセット１０＃に紙葉類Ｐを収容することができる。
【００３２】
図８は、実施形態の紙葉類処理システム１の一例を示す構成図である。紙葉類処理システム１は、紙葉類処理センター１００に設置される。紙葉類処理システム１は、オートローダ１０２と、コンベアシステム（搬送部）１０４と、複数の振分装置（振分部）１０６と、空カセット集積部１０８と、複数の配送カセット集積部１１０−１、・・・１１０−Ｎと、複数の紙葉類処理装置３００−１、・・・および３００−Ｍとを備える。ＮおよびＭは、任意の自然数である。なお、以下の説明において、配送カセット集積部１１０−１、・・・１１０Ｎを他の配送カセット集積部１１０と区別しない場合には、単に「配送カセット集積部１１０」と記載し、紙葉類処理装置３００−１、・・・３００Ｍを他の紙葉類処理装置と区別しない場合には、単に「紙葉類処理装置３００」と記載する。
【００３３】
オートローダ１０２は、紙葉類処理センター１００に運送された多数の収集カセット１０Ａをコンベアシステム１０４に搬送させる。コンベアシステム１０４は、例えば、モータ、ドライブプーリおよびベルト等により収集カセット１０Ａを搬送するベルトコンベアを備える。コンベアシステム１０４は、モータにより発生させた動力を利用して収集カセット１０Ａを搬送する。振分装置１０６は、コンベアシステム１０４による搬送過程において、収集カセット１０Ａを、コンベアシステム１０４において分岐した複数の経路の何れかの経路に振り分ける。空カセット集積部１０８には、紙葉類処理センター１００に運搬された収集カセット１０Ａのうち、紙葉類Ｐが収容されていない空のＡＴＭカセット１０Ｄが集積される。配送カセット集積部１１０は、配送カセット１０Ｂの配送先ごと区分して設置される。配送カセット集積部１１０には、紙葉類処理装置３００により処理された紙葉類Ｐを収容したＡＴＭカセット１０Ｅが、コンベアシステム１０４により搬送されることによって集積される。
【００３４】
以下、紙葉類処理センター１００における全体の処理について説明する。図９は、実施形態において紙葉類処理センター１００において行われる処理の流れを示す図である。まず、紙葉類処理センター１００は、銀行Ｂ等から運送された収集カセット１０Ａを受け入れて、オートローダ１０２に集積する（ステップＳ１００）。紙葉類処理センター１００において、収集カセット１０Ａに収容された紙葉類Ｐを紙葉類処理装置３００により処理する際、オートローダ１０２からコンベアシステム１０４に収集カセット１０Ａを供給する。コンベアシステム１０４に供給された収集カセット１０Ａは、経路Ｌ１に沿って運搬され、振分装置１０６Ａにより経路Ｌ２または経路Ｌ３に振り分けられる（ステップＳ１０２）。
【００３５】
ステップＳ１０２において、振分装置１０６Ａは、収集カセット１０Ａが空のＡＴＭカセット１０である場合、経路Ｌ２に収集カセット１０Ａを振り分け、ＡＴＭカセット１０Ｅを空カセット集積部１０８に搬送させる。振分装置１０６Ａは、収集カセット１０Ａが空のＡＴＭカセット１０ではない場合、収集カセット１０Ａを経路Ｌ３に振り分ける。振分装置１０６Ｂは、経路Ｌ３に振り分けられた収集カセット１０Ａを、紙葉類処理装置３００に接続された経路Ｌｆ−１、Ｌｆ−２、・・・またはＬｆ−ｐ（ｐは任意の自然数）に振り分けられる。収集カセット１０Ａは、経路Ｌ４またはＬ５に振り分けられ、さらに、経路Ｌｆ−１、Ｌｆ−２、・・・またはＬｆ−ｐに振り分けられる。この結果、収集カセット１０Ａは、複数の紙葉類処理装置３００のうちいずれかの紙葉類処理装置３００に搬送される。また、空カセット集積部１０８に集積された空のＡＴＭカセット１０Ｄ＃は、経路Ｌ４に沿って運搬されて複数の紙葉類処理装置３００のうちいずれかの紙葉類処理装置３００に運搬される。空のＡＴＭカセット１０＃は、例えば、オペレータの作業により、紙葉類処理装置３００の取出モジュール３１０に取り付けられる。
【００３６】
紙葉類処理装置３００は、収集カセット１０Ａに収容された紙葉類Ｐを取り出して、前述した処理を行い、集積庫３２９ａ、３２９ｂ、３２９ｃおよび３２９ｄ、または集積庫３３６ａ、３３６ｂ、３３６ｃ、および３３６ｄに集積する（ステップＳ１０４）。紙葉類処理装置３００は、経路Ｌ４を介して空のＡＴＭカセット１０Ｄが供給され、集積庫３２９ａ、３２９ｂ、３２９ｃおよび３２９ｄ、または集積庫３３６ａ、３３６ｂ、３３６ｃ、および３３６ｄに集積された紙葉類Ｐを空のＡＴＭカセット１０Ｄに収容する（ステップＳ１０６）。
【００３７】
紙葉類処理センター１００において、紙葉類処理装置３００により処理された紙葉類Ｐを収容したＡＴＭカセット１０を配送カセット集積部１１０に運搬する際、紙葉類処理装置３００の装着部３５１に装着されたＡＴＭカセット１０Ｅをコンベアシステム１０４に載置する。ＡＴＭカセット１０Ｅは、例えば、オペレータの作業により装着部３５１から取り外され、コンベアシステム１０４に載置される。ＡＴＭカセット１０Ｅは、紙葉類処理装置３００に対応した経路Ｌｅ−１、Ｌｅ−２、・・・およびＬｅ−ｍ（ｍは任意の自然数）に沿って搬送され、配送用の振分装置１０６Ｃにより振り分けられる（ステップＳ１０８）。この結果、ＡＴＭカセット１０Ｅは、経路Ｌｄ−１、Ｌｄ−２、・・・およびＬｄ−ｎ（ｎは任意の自然数）に沿って搬送され、複数の配送カセット集積部１１０−１、１１０−２・・・および１１０−Ｍのうちいずれかの配送カセット集積部に運搬され、配送カセット１０Ｂとして紙葉類処理センター１００から銀行Ｂ等に運送される（ステップＳ１１０）。
【００３８】
また、この紙葉類処理センター１００において、紙葉類処理装置３００は、袋１０Ｃに収容された紙葉類Ｐを処理してもよい。紙葉類処理装置３００は、袋１０Ｃに収容された紙葉類Ｐを処理する場合、オペレータにより袋Ｂから取り出され、供給部３１１に積層された紙葉類Ｐを処理する。これにより、紙葉類処理装置３００は、収集カセット１０Ａにより運搬された紙葉類Ｐと、袋１０Ｃにより運搬された紙葉類Ｐとの双方を処理する。
【００３９】
図１０は、実施形態の紙葉類処理システム１の機能的な構成を示すブロック図である。紙葉類処理システム１は、例えば、中央処理装置１００Ａと、収集カセット振分システム１００Ｂと、配送カセット振分システムと１００Ｃと、管理装置１００Ｄと、紙葉類処理装置３００とを備える。
【００４０】
中央処理装置１００Ａは、例えば、通信部１２０と、制御部１２２、記憶部１２４とを備える。通信部１２０は、通信ネットワークＮＷを介して、複数の銀行端末４００との間で通信を行う通信Ｉ／Ｆである。通信ネットワークＮＷは、例えばＷＡＮ（Wide Area Network）やＬＡＮ（Local Area Network）、ＶＰＮ（Virtual Private Network）等を含む。銀行端末４００は、例えば、銀行Ｂにおけるオペレータの操作を受け付けて、中央処理装置１００Ａに情報を送信する。銀行端末４００は、銀行Ｂの自動取引装置２００から取り出した収集カセット１０ＡのカセットＩＤ（ＩＤ−１）、収集カセット１０Ａに収容された紙葉類Ｐに関するカセット情報（ＣＤ−１）、および配送カセット１０Ｂに収容する紙葉類Ｐに関する処理要求（Ｒｅｑ）を中央処理装置１００Ａに送信する。
【００４１】
カセットＩＤに対応したカセット情報には、ＡＴＭカセット１０に収容される紙葉類Ｐに関する各種の情報が含まれる。カセット情報には、例えば、ＡＴＭカセット１０に収容されている券種（カレンシー、額面、またはシリーズ等）およびカテゴリ、券種毎の枚数、紙葉類Ｐのシリアル番号、自動取引装置２００のＩＤ、支店番号などが対応づけられる。中央処理装置１００Ａには、これらのカセット情報のうち、全部または一部の情報が銀行端末４００から送信される。処理要求には、配送カセット１０Ｂに収容する紙葉類Ｐのカセット情報のうち全部または一部の情報が含まれる。
【００４２】
制御部１２２は、例えばＣＰＵ等のプロセッサがプログラムメモリに格納されたプログラムを実行することにより実現される。また、制御部１２２のうち一部または全部は、ＬＳＩ（Large Scale Integration）、ＡＳＩＣ（Application Specific Integrated Circuit）、またはＦＰＧＡ（Field-Programmable Gate Array）等のハードウェアにより実現されてもよい。制御部１２２は、各種の情報処理を行うとともに、紙葉類処理装置３００、収集カセット振分システム１００Ｂおよび配送カセット振分システムと１００Ｃの動作を制御する。また、制御部１２２は、収集カセット１０Ａに収容された紙葉類Ｐを紙葉類処理装置３００により処理した結果、および配送カセット１０ＢのカセットＩＤ（ＩＤ−２）およびカセット情報（ＣＤ−２）を通信部１２０から銀行端末４００に送信させる。
【００４３】
記憶部１２４は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。記憶部１２４は、通信部１２０により受信したカセットＩＤとカセット情報とを対応づけて記憶する。さらに、記憶部１２４は、例えば、銀行Ｂの支店番号に対応づけて処理要求を記憶する。さらに、記憶部１２４は、ＩＤリーダ１３０により読み取られたカセットＩＤに対応づけて紙葉類処理装置３００の処理結果に基づくカセット情報を記憶する。さらに、記憶部１２４は、ＩＤライタ（情報付加部）１４０により発行したカセットＩＤに対応づけて配送カセット１０Ｂに収容された紙葉類Ｐに関するカセット情報を記憶する。さらに、記憶部１２４は、複数の紙葉類処理装置３００の各々における処理状況情報を記憶する。図１１は、実施形態の紙葉類処理装置３００の処理状況情報の一例を示す図である。なお、図１１において、装填庫は＃１、＃２、＃３、＃４、およびＡＴＭカセット１０＃に対応した処理状況情報を示しているが、集積庫３２２ａ、３２２ｂ、３２２ｃおよび３２２ｄ、集積庫３２９ａ、３２９ｂ、３２９ｃおよび３２９ｄ、集積庫３３６ａ、３３６ｂ、３３６ｃおよび３３６ｄの全てに対応して処理状況情報が設定されていてもよい。
【００４４】
処理状況情報は、図１１に示すように、各紙葉類処理装置３００における複数の集積庫３２９ａ、３２９ｂ、３２９ｃおよび３２９ｄ、集積庫３３６ａ、３３６ｂ、３３６ｃおよび３３６ｄ、またはＡＴＭカセット１０＃の各々の振分処理、各ＡＴＭカセット１０にアサインされている券種、各集積庫またはＡＴＭカセット１０＃の収容可能枚数、および各集積庫またはＡＴＭカセット１０の現在枚数などの情報である。各集積庫またはＡＴＭカセット１０＃の振分処理は、固定処理と、オートアサイン処理となどである。固定処理は、予め、各集積庫またはＡＴＭカセット１０＃に集積される券種が固定される処理である。オートアサイン処理は、各集積庫またはＡＴＭカセット１０＃に集積される券種が、一連の集積動作ごとに動的に自動変更される処理である。オートアサイン処理は、集積庫またはＡＴＭカセット１０＃が満杯になるまで紙葉類Ｐを集積した後に、集積庫から集積した紙葉類Ｐが取り除かれた場合またはＡＴＭカセット１０＃が取り外された場合に、この時点で集積庫またはＡＴＭカセット１０＃に対応付けられている券種の設定を消去して、新たに設定する券種を集積庫またはＡＴＭカセット１０＃に対応付ける。
【００４５】
収集カセット振分システム１００Ｂは、例えば、ＩＤリーダ１３０と、ローダ駆動部１３２と、搬送駆動部１３４と、振分駆動部１３６とを備える。ＩＤリーダ１３０は、バーコードリーダである。ＩＤリーダ１３０は、例えば、収集カセット１０Ａの経路Ｌ１に沿って搬送されている収集カセット１０Ａの上面に赤外線光を照射し、反射光に基づいてバーコード１４を読み取る。ＩＤリーダ１３０は、読み取り結果を解析することで収集カセット１０ＡのカセットＩＤ（ＩＤ−１）を解読し、中央処理装置１００Ａに出力する。ローダ駆動部１３２、搬送駆動部１３４、および振分駆動部１３６は、制御部１２２により出力された制御信号に基づいて動作する。ローダ駆動部１３２は、オートローダ１０２に載置された収集カセット１０Ａをコンベアシステム１０４に送り出す駆動機構等を備える。搬送駆動部１３４は、コンベアシステム１０４におけるモータ等を駆動させることで収集カセット１０Ａを搬送させる。振分駆動部１３６は、振分装置１０６を駆動させること収集カセット１０Ａを振り分ける。
【００４６】
配送カセット振分システムと１００Ｃは、例えば、ＩＤライタ１４０と、搬送駆動部１４２と、振分駆動部１４４とを備える。ＩＤライタ１４０は、例えば、新たなカセットＩＤ（ＩＤ−２）をエンコードしたバーコード１４を生成する内蔵コンピュータ、およびバーコード１４を印刷する印刷機等を備える。ＩＤライタ１４０は、制御部１２２により出力された新たなカセットＩＤに基づいてＡＴＭカセット１０Ｅに貼り付ける新たなバーコード１４を印刷する。この新たなバーコード１４にエンコードされるカセットＩＤは、処理要求を送信した要求送信元の銀行端末４００に対応したカセットＩＤとしてＡＴＭカセット１０に付加される。ＩＤライタ１４０により印刷されたバーコード１４は、例えば、オペレータにより手動でＡＴＭカセット１０Ｅの上面に貼り付けられる。搬送駆動部１４２および振分駆動部１４４は、制御部１２２により出力された制御信号に基づいて動作する。搬送駆動部１４２は、コンベアシステム１０４におけるモータ等を駆動させることでＡＴＭカセット１０Ｅを搬送させる。振分駆動部１４４は、振分装置１０６を駆動させることでＡＴＭカセット１０Ｅを振り分ける。
【００４７】
管理装置１００Ｄは、操作デバイス、表示装置、および演算装置を備えた情報処理装置である。管理装置１００Ｄは、中央処理装置１００Ａの制御部１２２により送信された制御信号を複数の紙葉類処理装置３００にそれぞれ出力することで、紙葉類処理装置３００に紙葉類Ｐを処理させる。また、管理装置１００Ｄは、複数の紙葉類処理装置３００による処理結果をそれぞれ受信し、中央処理装置１００Ａに各紙葉類処理装置３００の処理結果を送信する。
【００４８】
以下、実施形態の紙葉類処理システム１における処理の流れを説明する。まず、紙葉類処理センター１００において収集カセット１０Ａを受け付けて、紙葉類処理装置３００により紙葉類Ｐの処理を行う流れを説明する。図１２は、実施形態の紙葉類処理センター１００において収集カセット１０Ａを処理する流れを示す図である。
【００４９】
まず、紙葉類処理システム１は、中央処理装置１００Ａにより銀行端末４００から受信したカセットＩＤ（ＩＤ−１）、カセット情報（ＣＤ−１）、および処理要求（Ｒｅｑ）を受信して記憶部１２４に記憶する（ステップＳ２００）。また、紙葉類処理システム１は、紙葉類処理センター１００に運送された収集カセット１０Ａをオートローダ１０２およびコンベアシステム１０４により搬送する（ステップＳ２０２）。ＩＤリーダ１３０は、搬送されている収集カセット１０Ａのバーコード１４を読み取ることでカセットＩＤ（ＣＤ−１）を中央処理装置１００Ａに出力する（ステップＳ２０４）。中央処理装置１００Ａは、ＩＤリーダ１３０により出力されたカセットＩＤを記憶部１２４に記憶する。制御部１２２は、記憶部１２４に記憶されたカセットＩＤに対応したカセット情報を記憶部１２４から読み出し（ステップＳ２０６）、搬送されている収集カセット１０Ａが空のカセットであるか否かを判定する（ステップＳ２０８）。制御部１２２は、搬送されている収集カセット１０Ａが空のカセットであると判定した場合には、収集カセット１０Ａを空カセット集積部１０８に振り分けるように振分駆動部１３６を制御する（ステップＳ２１０）。
【００５０】
制御部１２２は、搬送されている収集カセット１０Ａが空のカセットではないと判定した場合には、収集カセット１０Ａに収容された紙葉類Ｐを処理する紙葉類処理装置３００を選定する（ステップＳ２１２）。制御部１２２は、選定された紙葉類処理装置３００に収集カセット１０Ａを振り分けるように振分装置１０６を制御する（ステップＳ２１４）。紙葉類処理装置３００は、コンベアシステム１０４により搬送された収集カセット１０Ａが取り付けられて、収集カセット１０Ａに収容された紙葉類Ｐを処理する（ステップＳ２１６）。
【００５１】
次に、実施形態の紙葉類処理システム１において紙葉類処理装置３００を選定する処理について説明する。図１３は、実施形態の紙葉類処理システム１において紙葉類処理装置３００を選定する処理の流れを示す図である。
【００５２】
制御部１２２は、ステップＳ２０４により記憶部１２４に記憶されたカセットＩＤに対応した紙葉類Ｐの枚数等のカセット情報を読み出す（ステップＳ３００）。また、制御部１２２は、記憶部１２４に記憶された処理状況情報を読み出す（ステップＳ３０２）。制御部１２２は、任意の紙葉類処理装置３００を指定し（ステップＳ３０４）、指定された紙葉類処理装置３００の処理状況と処理対象の紙葉類Ｐの情報とに基づいて、収集カセット１０Ａが受け入れ可能か否かを判定する（ステップＳ３０６）。制御部１２２は、例えば、処理可能枚数から現在の枚数を減算した受け入れ可能枚数が、収集カセット１０Ａに収容された紙葉類Ｐの枚数よりも多い場合に、指定された紙葉類処理装置３００が収集カセット１０Ａを受け入れ可能であると判定する。制御部１２２は、例えば、受け入れ可能枚数が収集カセット１０Ａに収容された紙葉類Ｐの枚数よりも少ない場合に、指定された紙葉類処理装置３００が収集カセット１０Ａを受け入れ可能ではないと判定する。制御部１２２は、指定された紙葉類処理装置３００が収集カセット１０Ａを受け入れ可能ではないと判定した場合に、ステップＳ３０４に処理を戻して他の紙葉類処理装置３００を指定する。制御部１２２は、収集カセット１０Ａが受け入れ可能であると判定された紙葉類処理装置３００を収集カセット１０Ａの処理主体として選定する（ステップＳ３０８）。
【００５３】
なお、複数の紙葉類処理装置３００のうち処理主体を選定する判定条件は、紙葉類処理装置３００の受け入れ可能枚数に限らず、他の条件であってもよい。複数の紙葉類処理装置３００のうち処理主体を選定する判定条件は、例えば、紙葉類Ｐの集積量が最も少ない紙葉類処理装置３００を選択するものであってもよい。また、複数の紙葉類処理装置３００のうち処理主体を選定する判定条件は、紙葉類処理装置３００に付番されたコード番号順に選択するものであってもよい。制御部１２２は、連続して搬送される複数の収集カセット１０Ａのカセット情報と、複数の紙葉類処理装置３００の処理状況情報とに基づいて、複数の収集カセット１０Ａを処理する複数の紙葉類処理装置３００の処理スケジュールを決定してもよい。
【００５４】
次に、実施形態の紙葉類処理システム１における紙葉類処理装置３００により収集カセット１０Ａを処理して処理結果を銀行端末４００に送信する処理について説明する。図１４は、実施形態の紙葉類処理システム１において収集カセット１０Ａを処理する流れを示す図である。
【００５５】
まず、紙葉類処理装置３００は、取出モジュール３１０に装着された収集カセット１０Ａのバーコード１４を読み取って、収集カセット１０ＡのカセットＩＤを解読する（ステップＳ４００）。紙葉類処理装置３００は、取出モジュール３１０により収集カセット１０Ａに収容された紙葉類Ｐを取り出し、鑑査装置３１８により紙葉類Ｐを計数し、鑑査装置３１８により判定された紙葉類Ｐの券種等に基づいて紙葉類Ｐを区分して、集積庫３２９ａ、３２９ｂ、３２９ｃおよび３２９ｄ、または装填モジュール３５０に装着されたＡＴＭカセット１０＃に搬送する（ステップＳ４０２）。紙葉類処理装置３００は、収集カセット１０Ａに収容された紙葉類Ｐの枚数および券種等のカセット情報を処理結果として作成し（ステップＳ４０４）、ステップＳ４００において解読されたカセットＩＤに対応づけて、処理結果を中央処理装置１００Ａに送信する（ステップＳ４０６）。紙葉類処理装置３００により作成された処理結果は、管理装置１００Ｄを介して中央処理装置１００Ａに送信される。中央処理装置１００Ａは、紙葉類処理装置３００により送信された処理結果を受信する。処理結果に対応づけられたカセットＩＤに基づいて処理結果の送信先の銀行端末４００を判定し、処理結果を銀行端末４００に送信する（ステップＳ４０８）。なお、紙葉類処理装置３００によりカセットＩＤを処理結果に対応づけたが、これに限らず、中央処理装置１００Ａにより処理結果にカセットＩＤを対応づけてもよい。
【００５６】
次に、実施形態の紙葉類処理システム１における紙葉類処理装置３００により空のＡＴＭカセット１０に紙葉類Ｐを収容して、ＡＴＭカセット１０を配送カセット集積部１１０に搬送する処理について説明する。図１５は、実施形態の紙葉類処理システム１において空のＡＴＭカセット１０に紙葉類Ｐを収容して搬送する流れを示す図である。
【００５７】
まず、中央処理装置１００Ａは、銀行端末４００により送信された処理要求を記憶部１２４から読み出し（ステップＳ５００）、空カセット集積部１０８から紙葉類処理装置３００に空のＡＴＭカセット１０Ｄを搬送するようにコンベアシステム１０４を制御する（ステップＳ５０２）。これにより、空のＡＴＭカセット１０Ｄは、装填モジュール３５０の装着部３５１に装着される。中央処理装置１００Ａは、空のＡＴＭカセット１０Ｄが装着された紙葉類処理装置３００に処理要求を送信することで、処理要求を満たす紙葉類ＰをＡＴＭカセット１０Ｄに収容させる。中央処理装置１００Ａは、ＡＴＭカセット１０に処理要求を満たす紙葉類Ｐが収容されたか否かを判定する（ステップＳ５０４）。中央処理装置１００Ａは、ＡＴＭカセット１０に処理要求を満たす紙葉類Ｐが収容されたと判定された場合に、ＡＴＭカセット１０Ｅを配送カセット集積部１１０に搬送するように搬送駆動部１４２を制御する（ステップＳ５０６）。また、中央処理装置１００Ａは、処理要求を満たす紙葉類Ｐが収容されたＡＴＭカセット１０Ｅのカセット情報を記憶部１２４に記憶させる。次にＩＤライタ１４０は、ＡＴＭカセット１０ＥにカセットＩＤがエンコードされたバーコード１４を印刷する（ステップＳ５０８）。中央処理装置１００Ａは、ＡＴＭカセット１０Ｅのカセット情報（ＣＤ−２）を記憶部１２４から読み出し、ＩＤライタ１４０により出力されたカセットＩＤ（ＩＤ−２）に対応づけて銀行端末４００に送信する。また、中央処理装置１００Ａは、ＡＴＭカセット１０Ｅを配送カセット１０Ｂとして運送する先の銀行Ｂに対応した配送カセット集積部１１０を振り分けるように振分駆動部１４４を制御する（ステップＳ５１２）。
【００５８】
以上説明した少なくともひとつの実施形態によれば、複数枚の紙葉類Ｐを収容したＡＴＭカセット１０を搬送するコンベアシステム１０４と、コンベアシステム１０４による搬送過程において、ＡＴＭカセット１０を複数の紙葉類処理装置３００のうち何れかの紙葉類処理装置３００に振り分ける振分装置１０６と、紙葉類処理装置３００の処理状況の情報を取得する中央処理装置１００Ａと、ＡＴＭカセット１０から、ＡＴＭカセット１０のカセットＩＤを取得するＩＤリーダ１３０と、他装置から、カセットＩＤに対応付けられたカセット情報を受信する通信部１２０と、複数の紙葉類処理装置３００の処理状況の情報と、ＩＤリーダ１３０により取得されたカセットＩＤと、通信部１２０により取得されたカセット情報とに基づいて、振分装置１０６によるＡＴＭカセット１０の振り分け先を制御する制御部１２２とを持つことにより、収集カセット１０Ａに収容された紙葉類Ｐを処理する効率を高くすることができる。
【００５９】
また、実施形態によれば、ＡＴＭカセット１０に紙葉類Ｐが収容されている場合にはＡＴＭカセット１０を複数の紙葉類処理装置３００のうち何れかの紙葉類処理装置３００に振り分けるように振分装置１０６Ａを制御し、ＡＴＭカセット１０に紙葉類Ｐが収容されていない場合にはＡＴＭカセット１０を空カセット集積部１０８に振り分けるように振分装置１０６Ａを制御するので、空のＡＴＭカセット１０を振り分けるための負担を軽減することができ、処理効率を高くすることができる。
【００６０】
さらに、実施形態によれば、コンベアシステム１０４により、振分装置１０６により紙葉類Ｐが収容されたＡＴＭカセット１０が振り分けられた紙葉類処理装置３００に、空カセット集積部１０８に集積された空のＡＴＭカセット１０を搬送するので、紙葉類Ｐを処理する紙葉類処理装置３００に空のＡＴＭカセット１０を装着するための負担を軽減することができ、処理効率を高くすることができる。
【００６１】
さらに、実施形態によれば、ＡＴＭカセット１０にカセットＩＤ情報を付加するＩＤライタ１４０と、銀行端末４００からＡＴＭカセット１０に紙葉類Ｐを収容する要求を受信する通信部１２０とを持ち、制御部１２２により、通信部１２０により受信された要求に基づいて、紙葉類処理装置３００に装着された空のＡＴＭカセット１０に、紙葉類Ｐを収容させると共に、ＩＤライタ１４０により、要求送信元の銀行端末４００に対応したカセットＩＤを付加するので、処理要求に対応して紙葉類Ｐを収容したＡＴＭカセット１０のカセットＩＤおよびカセット情報を効率よく伝達することができる。
【００６２】
さらに、実施形態によれば、ＩＤライタ１４０によりＡＴＭカセット１０に付加されたカセットＩＤに基づいて、紙葉類Ｐが収容されたＡＴＭカセット１０を、要求送信元の銀行端末４００に対応した配送カセット集積部１１０に振り分けるように配送用の振分装置１０６Ｃを制御するので、処理要求に対応して紙葉類Ｐを収容したＡＴＭカセット１０を振り分けるための負担を軽減することができ、処理効率を高くすることができる。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１…紙葉類処理システム、１０…紙葉類カセット、１０Ａ…収集カセット、１０Ｂ…配送カセット、１２…筐体、１４…バーコード、１００…紙葉類処理センター、１００Ａ…中央処理装置、１００Ｂ…収集カセット振分システム、１０６…振分装置、１０８…空カセット集積部、１１０…配送カセット集積部、１２０…通信部、１２２…制御部、１２４…記憶部、１３０…ＩＤリーダ、１４０…ＩＤライタ、３００…紙葉類処理装置、３１０…取出モジュール、３２０…メインモジュール、３２２…主制御部、３２９…装填庫、３３６…集積庫、３５０…装填モジュール、３５１…装着部、４００…銀行端末
【図１】
2017054295.tif 000003
【図２】
2017054295.tif 000004
【図３】
2017054295.tif 000005
【図４】
2017054295.tif 000006
【図５】
2017054295.tif 000007
【図６】
2017054295.tif 000008
【図７】
2017054295.tif 000009
【図８】
2017054295.tif 000010
【図９】
2017054295.tif 000011
【図１０】
2017054295.tif 000012
【図１１】
2017054295.tif 000013
【図１２】
2017054295.tif 000014
【図１３】
2017054295.tif 000015
【図１４】
2017054295.tif 000016
【図１５】
2017054295.tif 000017